【事件の表示】
　特許第３２６７３９６号「ブラシレスモータ」の請求項２に係る特許に対する特許異議の申立てについて、次のとおり決定する。
【結　論】
　訂正を認める。
　特許第３２６７３９６号の請求項１、２に係る特許を維持する。
【理　由】
１．訂正の適否の判断
（１）訂正の内容
訂正事項ａ
　特許請求の範囲の請求項２に、「軸受保持部の内周部に周方向間隔おきに設けられた複数個所の支部部によって支持され、」とあるのを、「軸受保持部の内周部に周方向間隔おきに設けられた半径方向内方側に膨出する複数個所の支部部によって支持され、」と訂正する。
　
訂正事項ｂ
　明細書の段落番号【０００５】に、「軸受保持部の内周部に周方向間隔おきに設けられた複数個所の支部部によって支持され、」とあるのを、「軸受保持部の内周部に周方向間隔おきに設けられた半径方向内方側に膨出する複数個所の支部部によって支持され、」と訂正する。
　
（２）訂正の適否
　請求項２についての訂正事項ａは、「複数個所の支持部」が「半径方向内方側に膨出する複数個所の支持部」であることを限定するもので、特許請求の範囲の減縮を目的とするものである。訂正事項ａは特許明細書の段落【００１２】に記載されていたことである。
　また、訂正事項ｂは、訂正事項ａとの整合を図るものであるから、明りょうでない記載の釈明を目的とした明細書の訂正に該当する。
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項（及び第３項［３項は独立特許要件に関するもの］）の規定に適合するので、当該訂正を認める。
　
２．特許異議の申立てについての判断
（１）本件発明
　上記のとおり、訂正は認められるから、本件特許の発明は、訂正された特
許明細書の特許請求の範囲の請求項１及び２に記載されたとおりのものであると認められるところ、そのうち請求項２に係る発明（以下、「本件発明２」という。）は、次のとおりである。
「　有底筒状の軸受保持部の内周部に嵌合保持された筒状のラジアル軸受部材によって、回転軸が回転自在に支持されてなるブラシレスモータであって、
ラジアル軸受部材の外周部は、軸受保持部の内周部に周方向間隔おきに設けられた半径方向内方側に膨出する複数個所の支持部によって支持され、
ラジアル軸受部材の外周部と軸受保持部の内周部との間は、支持部によって支持される個所を除き外側空隙部を構成し、
軸受保持部の底部に、ラジアル軸受部材の内周側と外側空隙部とに亙る溝状部を有することを特徴とするブラシレスモータ。」
　
（２）引用刊行物
刊行物１：実願昭６２−８２０６４号（実開昭６３−１９１８５２号）のマイクロフィルム（異議申立人の提出した甲第１号証）
　
（３）刊行物に記載された発明
　当審が通知した取消しの理由に引用した刊行物１には、
ア．「　第５図はブラシレスモータの断面図である。」（明細書第１頁第１６行）
イ．「　しかしながら、従来の軸受装置２の構造では、モータの組立て作業において回転軸１を軸穴１２ａに挿入する際に、軸受装置２内のＡ部に密封される空気が逃げることができなくなる。そのため、回転軸１を挿入するときに軸受装置２内の空気が圧縮され反発力が生じ、回転軸１の下端面をシート１３ｂに対して確実に接触させることができない場合が生じる。」（明細書第３頁第１〜８行）
ウ．「　本考案は上記従来の問題点を解決するためになされたものであり、軸を軸受に挿入する際、軸穴内の空気が外部へ流出して、空気の圧縮による反発力が発生しないようになり、軸を軸受内に完全に挿入できるようにした軸受装置を提供するものである。」（明細書第３頁第１３〜１８行）
エ．「　第１図に示す軸受装置２２は、第５図に示すモータの軸受装置２と同じ部分に装備されるものである。・・・。この有底穴３１の底の中央部には小凹部３３ａが形成されており、有底穴３１は二段構造となっている。・・・。
　また有底穴３１の内周面には小凹部３３ａからハウジング上面に連続する溝３１ａが形成されている。この溝３１ａは小凹部３３ａに対して放射状に４箇所形成されている。軸穴３２ａが穿設されているメタル製のラジアル軸受３２は、有底穴１１内に嵌着され、底部の段差部によって位置決めされて固定されている。ラジアル軸受３２が嵌着された状態では、軸穴３２ａの底側開口端３２ｂは小凹部３３ａと溝３１ａを介して外気と連通されている。」（明細書第５頁第２〜２０行）
オ．「　回転軸１を軸穴３２ａに挿入すると、軸受装置２２内の空気は、溝３１ａから押し出される。したがって、軸受装置２２内の空気が圧縮されることにより生じる反発力の発生が防止され、回転軸１を軸穴３２ａに円滑に挿入し、回転軸１の下端面をシート３３ｂに確実に接触させることができる。」（明細書第６頁第１〜７行）
カ．「　なお、実施例では、溝３１ａを小凹部３３ａに対して放射状に４箇所配設したが、溝の配設数、配設位置はこれに限られず、軸穴３２ａの開口端と外気とを連通できるものであればいかなる配設数、配設位置であってもよい。」（明細書第６頁第１１〜１５行）
との記載からみて、
「ラジアル軸受がハウジングの有底穴内に嵌着され、回転軸が前記ラジアル軸受の軸穴に挿入されるブラシレスモータであって、前記有底穴の底の中央部には小凹部が形成されており、前記有底穴の内周面には前記小凹部から前記ハウジング上面に連続する溝が形成されているブラシレスモータ。」
が記載されている。
　
（４）対比・判断
　本件発明２と刊行物１に記載された発明とを対比すると、刊行物１に記載された発明における「有底穴」、「ラジアル軸受」は、本件発明２における「有底筒状の軸受保持部」、「ラジアル軸受部材」にそれぞれ相当し、刊行物１に記載された発明においては、有底穴の内周面に形成された溝以外の部分で回転軸を支持しているから、有底穴の内周面に形成された溝以外の部分が、本件発明２における「支持部」に相当し、刊行物１に記載された発明における「溝」は、ラジアル軸受と有底穴との間で空隙部を形成しているから、本件発明２における「外側空隙部」に相当し、刊行物１に記載された発明における「小凹部」は、溝と有底穴とを連通するものであるから、本件発明２における「溝状部」に相当する。したがって、両者は、
「有底筒状の軸受保持部の内周部に嵌合保持された筒状のラジアル軸受部材によって、回転軸が回転自在に支持されてなるブラシレスモータであって、
ラジアル軸受部材の外周部は、軸受保持部の内周部に周方向間隔おきに設けられた複数個所の支持部によって支持され、
ラジアル軸受部材の外周部と軸受保持部の内周部との間は、支持部によって支持される個所を除き外側空隙部を構成し、
軸受保持部の底部に、ラジアル軸受部材の内周側と外側空隙部とに亙る溝状部を有することを特徴とするブラシレスモータ。」
である点で一致し、以下の点で相違する。
［相違点］
　本件発明２では、「支持部」は、軸受保持部の内周部に半径方向内方側に膨出するものであるのに対し、刊行物１に記載の発明における「支持部」に相当する部分は、有底穴の内周面であって、有底穴に設けられた溝に対して相対的に有底穴の内周側にあるものである点。
　
　上記相違点について検討すると、軸受保持部の内周部の半径方向内方側に膨出する支持部を備える点は、刊行物１には記載がなく、示唆もない。また、上記相違点については、異議申立人の提出した甲第２号証（実願昭５４−３４３３１号（実開昭５５−１３４５１９号）のマイクロフィルム）にも、記載も示唆もない。
　そして、本件発明２は、上記構成を備えることにより、「軸受保持部に対するラジアル軸受部材の十分な嵌合を、容易且つ確実に実現させることができる」という、明細書記載の効果を奏するものである。
　
（５）むすび
　以上のとおりであるから、特許異議の申立ての理由によっては請求項２に係る発明の特許を取り消すことはできない。
　また、他に請求項１及び２に係る発明の特許を取り消すべき理由を発見しない。
　よって、結論のとおり決定する。
【異議決定日】
平成１５年６月１７日（２００３．６．１７）
【訂正の要旨】
▲１▼　特許第３２６７３９６号として登録された本件特許の明細書における【特許請求の範囲】を
「　　【請求項１】　有底筒状の軸受保持部の内周部に嵌合保持された筒状のラジアル軸受部材によって、回転軸が回転自在に支持され、軸受保持部の底部に設けられた有底筒状をなす受け部材保持部に内嵌保持されたスラスト受け部材によって、回転軸の先端部が軸線方向に支持されてなるブラシレスモータであって、
スラスト受け部材の外周部は、受け部材保持部の内周部に周方向間隔おきに設けられた複数個所の支持部によって支持され、
スラスト受け部材の外周部と受け部材保持部の内周部との間は、支持部によって支持される個所を除き空隙部を構成しており、
受け部材保持部の底部に、少なくとも外周部のうち周方向における支持部の位置と空隙部の位置とに亙る溝状部を有することを特徴とするブラシレスモータ。
　【請求項２】　有底筒状の軸受保持部の内周部に嵌合保持された筒状のラジアル軸受部材によって、回転軸が回転自在に支持されてなるブラシレスモータであって、
　ラジアル軸受部材の外周部は、軸受保持部の内周部に周方向間隔おきに設けられた
半径方向内方側に膨出する
　ラジアル軸受部材の外周部と軸受保持部の内周部との間は、支持部によって支持される個所を除き外側空隙部を構成し、
　軸受保持部の底部に、ラジアル軸受部材の内周側と外側空隙部とに亙る溝状部を有することを特徴とするブラシレスモータ。」と訂正する。
▲２▼　特許第３２６７３９６号として登録された本件特許の明細書におけるの段落番号【０００５】を
「　　　【０００５】
　また本発明の別のブラシレスモータは、有底筒状の軸受保持部の内周部に嵌合保持された筒状のラジアル軸受部材によって、回転軸が回転自在に支持されてなるブラシレスモータであって、
ラジアル軸受部材の外周部は、軸受保持部の内周部に周方向間隔おきに設けられた
半径方向内方側に膨出する
ラジアル軸受部材の外周部と軸受保持部の内周部との間は、支持部によって支持される個所を除き外側空隙部を構成し、
軸受保持部の底部に、ラジアル軸受部材の内周側と外側空隙部とに亙る溝状部を有するものとしている。」と訂正する。
（５４）【発明の名称】
ブラシレスモータ
（５７）【特許請求の範囲】
　【請求項１】
　有底筒状の軸受保持部の内周部に嵌合保持された筒状のラジアル軸受部材によって、回転軸が回転自在に支持され、軸受保持部の底部に設けられた有底筒状をなす受け部材保持部に内嵌保持されたスラスト受け部材によって、回転軸の先端部が軸線方向に支持されてなるブラシレスモータであって、
スラスト受け部材の外周部は、受け部材保持部の内周部に周方向間隔おきに設けられた複数個所の支持部によって支持され、
スラスト受け部材の外周部と受け部材保持部の内周部との間は、支持部によって支持される個所を除き空隙部を構成しており、
受け部材保持部の底部に、少なくとも外周部のうち周方向における支持部の位置と空隙部の位置とに亙る溝状部を有することを特徴とするブラシレスモータ。
　【請求項２】
　有底筒状の軸受保持部の内周部に嵌合保持された筒状のラジアル軸受部材によって、回転軸が回転自在に支持されてなるブラシレスモータであって、
ラジアル軸受部材の外周部は、軸受保持部の内周部に周方向間隔おきに設けられた
半径方向内方側に膨出する
ラジアル軸受部材の外周部と軸受保持部の内周部との間は、支持部によって支持される個所を除き外側空隙部を構成し、
軸受保持部の底部に、ラジアル軸受部材の内周側と外側空隙部とに亙る溝状部を有することを特徴とするブラシレスモータ。
【発明の詳細な説明】
　【０００１】
　【産業上の利用分野】
　本発明は、筒状の軸受保持部の内周部に嵌合保持された筒状のラジアル軸受部材によって回転軸が回転自在に支持されてなるブラシレスモータに関する。
　【０００２】
　【従来の技術及び解決しようとする課題】
　ファン装置等に使用されるブラシレスモータのうち、筒状の軸受保持部の内周部に嵌合保持された筒状のラジアル軸受部材によって回転軸が回転自在に支持されてなるものにおいては、従来、軸受保持部の底部が開口し、回転軸の先端部に抜け止めリングを装着したものや、回転軸の先端部を軸線方向に支持するスラスト受けを備えた嵌合部材を開口部に嵌合固定させたものがあった。
　回転軸の先端部に抜け止めリングを装着したものでは、軸受の潤滑剤が漏出し易いという問題があり、嵌合部材を開口部に嵌合固定させたものでは、部品点数及び工程数が増大するという問題があった。
　【０００３】
　本発明は、従来技術に存した上記のような問題点に鑑み行われたものであって、その目的とするところは、潤滑剤の漏出並びに部品点数及び工程数の増大が防がれ、容易且つ確実に製造し得るブラシレスモータを提供することにある。
　【０００４】
　【課題を解決するための手段】
　上記目的を達成するために、本発明ブラシレスモータは、
　有底筒状の軸受保持部の内周部に嵌合保持された筒状のラジアル軸受部材によって、回転軸が回転自在に支持され、軸受保持部の底部に設けられた有底筒状をなす受け部材保持部に内嵌保持されたスラスト受け部材によって、回転軸の先端部が軸線方向に支持されてなるブラシレスモータであって、
スラスト受け部材の外周部は、受け部材保持部の内周部に周方向間隔おきに設けられた複数個所の支持部によって支持され、
スラスト受け部材の外周部と受け部材保持部の内周部との間は、支持部によって支持される個所を除き空隙部を構成しており、
受け部材保持部の底部に、少なくとも外周部のうち周方向における支持部の位置と空隙部の位置とに亙る溝状部を有するものとしている。
　【０００５】
　また本発明の別のブラシレスモータは、
　有底筒状の軸受保持部の内周部に嵌合保持された筒状のラジアル軸受部材によって、回転軸が回転自在に支持されてなるブラシレスモータであって、
ラジアル軸受部材の外周部は、軸受保持部の内周部に周方向間隔おきに設けられた
半径方向内方側に膨出する
ラジアル軸受部材の外周部と軸受保持部の内周部との間は、支持部によって支持される個所を除き外側空隙部を構成し、
軸受保持部の底部に、ラジアル軸受部材の内周側と外側空隙部とに亙る溝状部を有するものとしている。
　【０００６】
　【作用】
　請求項１の発明では、スラスト受け部材を受け部材保持部に内嵌すると、スラスト受け部材の外周部は、受け部材保持部の内周部に周方向間隔おきに設けられた複数個所の支持部によって支持される。
　スラスト受け部材の外周部と受け部材保持部の内周部との間は、支持部によって支持される個所を除き空隙部を構成しており、受け部材保持部の底部に、少なくとも外周部のうち周方向における支持部の位置と空隙部の位置とに亙る溝状部を有する。そのため、内嵌に際し、スラスト受け部材と受け部材保持部との間から排除されるべき空気は、空隙部を経て自由に受け部材保持部の外部へと抜ける。スラスト受け部材のうち支持部によって支持される個所の底部と受け部材保持部の底部との間の空気も、溝状部を通じて空隙部に抜ける。従って、受け部材保持部に対しスラスト受け部材を内嵌させる際に、スラスト受け部材と受け部材保持部との間の空気が内嵌の妨げとはならない。
　【０００７】
　請求項２の発明では、筒状のラジアル軸受部材を軸受保持部の内周部に嵌合させると、ラジアル軸受部材の外周部は、軸受保持部の内周部に周方向間隔おきに設けられた複数個所の支持部によって支持される。
　ラジアル軸受部材の外周部と軸受保持部の内周部との間は、支持部によって支持される個所を除き外側空隙部を構成し、軸受保持部の底部に、ラジアル軸受部材の内周側と外周側の外側空隙部とに亙る溝状部を有する。
　そのため、嵌合に際し、ラジアル軸受部材と軸受保持部との間から排除されるべき空気は、外側空隙部及びラジアル軸受部材の内周側から自由に軸受保持部の外部へと抜ける。ラジアル軸受部材の底部と軸受保持部の底部との間の空気は、溝状部を通じて外側空隙部及びラジアル軸受部材の内周側に抜けることができる。従って、軸受保持部に対しラジアル軸受部材を嵌合させる際に、ラジアル軸受部材と軸受保持部との間の空気が嵌合の妨げとはならない。
　また、軸受保持部の内周部に嵌合保持されたラジアル軸受部材に回転軸を挿通させる際にラジアル軸受部材の内部から排除されるべき空気は、溝状部と外側空隙部とを経て外部へ抜ける。従ってラジアル軸受部材の内部の空気は回転軸挿通の妨げとはならない。
　【０００８】
　【実施例】
　本発明の実施例を、図面を参照しつつ説明する。
　図１乃至図７は本発明の１実施例としてのブラシレスモータを用いてなるファン装置である。そのうち図１は要部断面図、図２は軸受保持部の拡大平面図、図３は軸受保持部の拡大断面図である。但し、図１と図３では切断面が異なっている。
　【０００９】
　ブラケット１０は、上方開口の深皿形状をなし、中央部上方に向かって有底円筒状の軸受保持部１２を有している。
　軸受保持部１２の底部には、有底円筒状をなす受け部材保持部１４が設けられている。受け部材保持部１４の内周壁には、１２０度中心角毎の３個所に内方膨出部１６が設けられている。この内方膨出部１６は、図２に示されるように断面弓形状をなす。受け部材保持部１４の底部の外周部には、周方向における各内方膨出部１６及びそのやや周方向外方の部分に亙り、溝部１８を有する。
　【００１０】
　略円柱形状をなすスラスト受け部材２０は、受け部材保持部１４に内嵌され、内方膨出部１６によって保持されている。この実施例では、受け部材保持部１４によるスラスト受け部材２０の保持は、内方膨出部１６のうち周方向中央部、すなわち支持部１６ａにおいて行われており、支持部１６ａを除く受け部材保持部１４の内周壁とスラスト受け部材２０の外周部との間は、空隙部２２を構成している。従って溝部１８は、周方向における支持部１６ａの位置と空隙部２２の位置とに亙る。
　【００１１】
　スラスト受け部材２０を受け部材保持部１４に内嵌させるに際し、スラスト受け部材２０と受け部材保持部１４との間から排除されるべき空気は、空隙部２２を経て自由に受け部材保持部１４の外部へと抜ける。スラスト受け部材２０のうち支持部１６ａによって支持される個所の底部と受け部材保持部１４の底部との間の空気も、溝部１８を通じて空隙部２２に抜ける。従って、受け部材保持部１４が有底円筒状であるにもかかわらず、受け部材保持部１４に対しスラスト受け部材２０を内嵌させる際に、スラスト受け部材２０と受け部材保持部１４との間の空気が内嵌の妨げとはならず、十分な嵌合を容易且つ確実に実現させることができる。
　【００１２】
　軸受保持部１２の内周壁には、受け部材保持部１４の内方膨出部１６から６０度中心角ずつずれた１２０度中心角毎の３個所に内方膨出部２６が設けられている。この内方膨出部２６も、図２に示されるように断面弓形状をなす。また軸受保持部１２の内周壁と受け部材保持部１４の外周壁との間の環状底部２８の内周部のうち、溝部１８の径方向外方の位置には、その溝部１８と同程度の周方向長さの、比較的深い周方向溝３０が設けられている。そして周方向溝３０の周方向中央部と軸受保持部１２の内周壁の間に、比較的浅い径方向溝３２が設けられている。
　【００１３】
　溝部１８と周方向溝３０により受け部材保持部１４の周壁１４ａが挟まれた部分において周壁１４ａの基部から上端部までの長さが他の部分よりも長くなるので、周壁１４ａのその部分を中心にスラスト受け部材２０の外周形状に対する追従性が良くなり、スラスト受け部材２０の十分な嵌合が確実に行われると共に、変形による周壁１４ａの破損が防止される。
　【００１４】
　含油スリーブ軸受３４（ラジアル軸受部材）は、比較的長寸の円筒状をなす外周層３４ａと、その外周層３４ａの上端内周部及び下部内周部に位置する比較的短寸の円筒状をなす内周層３４ｂとからなり、全体として略円筒状をなす。外周層３４ａ及び内周層３４ｂは焼結金属製であり、その空隙率は、内周層３４ｂの方が低い。
　【００１５】
　含油スリーブ軸受３４は、軸受保持部１２の内周部に嵌合され、外周層３４ａの外周部において内方膨出部２６によって保持されている。含油スリーブ軸受３４の保持は、内方膨出部２６のうち周方向中央部、すなわち支持部２６ａにおいて行われており、支持部２６ａを除く軸受保持部１２の内周壁と含油スリーブ軸受３４の外周層３４ａの外周部との間は、外側空隙部３６を構成している。外周層３４ａの内周下端部と受け部材保持部１４の外周部との間には、内側空隙部３８を有している。含油スリーブ軸受３４の下端面、すなわち外周層３４ａの下端面は、周方向溝３０及び径方向溝３２の部分を除いて環状底部２８に接している。
　【００１６】
　含油スリーブ軸受３４を軸受保持部１２の内周部に嵌合させるに際し、含油スリーブ軸受３４と軸受保持部１２との間から排除されるべき空気は、外側空隙部３６及び内側空隙部３８を経て自由に軸受保持部１２の外部へと抜ける。外周層３４ａの底部と軸受保持部の環状底部２８との間の空気は、径方向溝３２及び周方向溝３０を通じて外側空隙部３６及び内側空隙部３８に抜ける。従って、軸受保持部１２が有底円筒状であるにもかかわらず、軸受保持部１２に対し含油スリーブ軸受３４を嵌合させる際に、含油スリーブ軸受３４と軸受保持部１２及び受け部材保持部１４との間の空気が嵌合の妨げとはならず、十分な嵌合を容易且つ確実に実現させることができる。
　【００１７】
　軸受保持部１２の基部には回路基板４０が外嵌固定されている。ステータコア４２には、絶縁性合成樹脂製のインシュレータ４４を介してステータコイル４６が捲回され、ステータコア４２は、軸受保持部１２の上下中間部に外嵌固定されている。インシュレータ４４の上端内周部には断面Ｊ字形状の嵌合保持部４４ａが設けられている。この嵌合保持部４４ａは、軸受保持部１２の上部外周部に設けられた環状溝１２ａに上方から容易に嵌合し、嵌合保持部４４ａの上端面が環状溝１２ａの上面に当接することによりその嵌合が保持されている。
　【００１８】
　フェルト製の環状のオイルシール部材４５は、下面が含油スリーブ軸受３４の上端面、すなわち外周層３４ａ及び内周層３４ｂの上端面に接した状態で配設されている。オイルシール部材４５の空隙率は、外周層３４ａのそれよりも高い。オイルシール部材４５、外周層３４ａ及び内周層３４ｂの含油率（最大限に含油し得る体積率）は、それぞれ例えば３０％、２５％及び２０％程度とすることができる。
　【００１９】
　図４は合成樹脂製のキャップ部材の破砕斜視図、図５乃至図７はインペラの取り外しについての説明図であって、図５はキャップ部材及びインペラの要部断面図、図６は、図５の要部底面図、図７はキャップ部材及びインペラの要部拡大図である。
　【００２０】
　合成樹脂製のキャップ部材４６は、下方開口の環状溝部４６ａを構成する外周環状壁４６ｂ及び中央環状壁４６ｃと、中央環状壁４６ｃの上端内周部から内下方に向かって湾曲する湾曲周壁部４６ｄとを有してなる。キャップ部材４６は、環状溝部４６ａにおいて軸受保持部１２の上端部に嵌合し、外周環状壁４６ｂの内周部に設けられた内向の環状突部４６ｂ１が軸受保持部１２の外周部に設けられた環状溝１２ｂに嵌合することによりキャップ部材４６の軸受保持部１２の上端部に対する嵌合が保持される。中央環状壁４６ｃの下部は内径拡大部４６ｃ１に形成され、その内径拡大部４６ｃ１には、下方開口の空気抜き用の切欠部４６ｃ２が１８０度中心角毎の２個所に設けられている。中央環状壁４６ｃの下端面が含油スリーブ軸受３４の上面外周部に当接し、内径拡大部４６ｃ１の上端に位置する端面がオイルシール部材４５の上面外周部に当接することにより、それぞれ含油スリーブ軸受３４及びオイルシール部材４５の脱落が防がれている。湾曲周壁部４６ｄの下端部には、下方に開口し、上方に向かって台形状に周方向幅が狭まる切欠部４６ｄ１が１８０度中心角毎の２個所に設けられている。
　【００２１】
　インペラ５０は、略椀形状のロータフレーム５２の周壁外周側に羽根５４が突設され、中央部に回転軸５６が突設されてなる。ロータフレーム５２の周壁には、上端部が内方に屈曲した略円筒形状のロータヨーク５５が内嵌固定され、そのロータヨーク５５には、円筒形状のロータマグネット５７が内嵌固定されている。
　【００２２】
　回転軸５６の基部はロータフレーム５２のボス部５８によって支持されている。ボス部５８の下端部には、径方向外方に突出する外方突部５８ａが、各切欠部４６ｄ１に対応するように設けられている。外方突部５８ａの上部の周方向長は、切欠部４６ｄ１の開口部の周方向長よりも短く、上端部の周方向長よりも長い。外方突部５８ａの径方向外端部の半径、すなわち回転軸心からの離心距離は、湾曲周壁部４６ｄの下端部の内径よりも大きく、その外径よりは小さい。
　【００２３】
　軸受保持部１２が有底円筒状をなし含油スリーブ軸受３４が全体として略円筒状をなすが、回転軸５６を上方から含油スリーブ軸受３４内に挿通させる際に含油スリーブ軸受３４の内部から排除されるべき空気は、内側空隙部３８、周方向溝３０、径方向溝３２、外側空隙部３６、切欠部４６ｃ２及びオイルシール部材４５の空隙を経て軸受保持部１２の上方へと抜けるので、回転軸５６の挿通の妨げとなることが防がれる。なお、製造時には、オイルシール部材４５は潤滑剤を含有していない。
　【００２４】
　また、回転軸５６を上方から含油スリーブ軸受３４内に挿通させる際に外方突部５８ａが湾曲周壁部４６ｄに接触するが、湾曲周壁部４６ｄは内下方に向かって湾曲し、外方突部５８ａの下面は径方向外方に向かって上方に傾斜するので、インペラ５０を下方に押し込むことにより、湾曲周壁部４６ｄが径方向外方に弾性変形すると共に外方突部５８ａ及びボス部５８が径方向内方にやや弾性変形しつつ、外方突部５８ａが湾曲周壁部４６ｄを乗り越える。このようにして外方突部５８ａが湾曲周壁部４６ｄとオイルシール部材４５との間に位置することにより、回転軸５６が含油スリーブ軸受３４によって回転自在に支持された状態で、回転軸５６が含油スリーブ軸受３４から抜け止めされる。外方突部５８ａの上面は、脱落しにくいように水平面上に形成されている。ロータマグネット５７とステータコア４２は径方向空隙を隔てて相対するが、それら磁気中心位置は、ロータマグネット５７の方が軸線方向上方に位置するよう構成されているので、回転時にはインペラ５０に対し軸線方向下向きの力が作用する。そのため、回転時には回転軸５６の下端部はスラスト受け部材２０の上面によって軸線方向に支持される。
　【００２５】
　軸受保持部１２は有底円筒状をなすので、含油スリーブ軸受３４の内周層３４ｂから軸受すき間に滲み出た液状の潤滑剤は、軸受保持部１２の開口側、すなわち上方へ漏出しようとする。その際に、含油スリーブ軸受３４のうち軸受保持部１２の上端面に接する環状のオイルシール部材４５は、比較的に空隙率が高いので、潤滑剤は、そのオイルシール部材４５に確実性高く吸収される。
　【００２６】
　そして、オイルシール部材４５、外周層３４ａ、内周層３４ｂの順に空隙率が低いので、毛管現象により、オイルシール部材４５に吸収された潤滑剤は、含油スリーブ軸受３４の外周層３４ａへと流れ、外周層３４ａから更に内周層３４ｂへと流れる。またオイルシール部材４５に吸収された潤滑剤の一部は、直接内周層３４ｂへ流れる。このようにして潤滑剤が円滑に循環し、潤滑剤の外部漏出が効果的に防止されるので、潤滑剤飛散による周辺汚染を防ぐと共に、軸受、延いてはモータ全体の寿命を長く維持することができる。
　【００２７】
　メンテナンスや修理等のために回転軸５６を引き抜く必要がある場合、図６及び図７に示すように湾曲周壁部４６ｄの切欠部４６ｄ１に外方突部５８ａを嵌合させ、インペラ５０をブラケット１０に対し上方へ引き上げながら回動させることにより、図７に矢示するように切欠部４６ｄ１が周方向に弾性的に拡がって湾曲周壁部４６ｄの内径が拡大し、湾曲周壁部４６ｄが外方突部５８ａの外周側へ変形して切欠部４６ｄ１と外方突部５８ａとの嵌合が外れ、回転軸５６の抜け止めが解除されるので、回転軸５６を軸受から引き抜くことができる。
　【００２８】
　なお、以上の実施例についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
　【００２９】
　【発明の効果】
　請求項１のブラシレスモータでは、内嵌に際し、スラスト受け部材と受け部材保持部との間から排除されるべき空気は、空隙部を経て自由に受け部材保持部の外部へと抜け、スラスト受け部材のうち支持部によって支持される個所の底部と受け部材保持部の底部との間の空気も、溝状部を通じて空隙部に抜けるので、スラスト受け部材と受け部材保持部との間の空気が内嵌の妨げとはならない。そのため、受け部材保持部が有底筒状をなすにもかかわらず、その受け部材保持部に対するスラスト受け部材の十分な嵌合を、容易且つ確実に実現させることができる。
　【００３０】
　請求項２のブラシレスモータでは、嵌合に際し、ラジアル軸受部材と軸受保持部との間から排除されるべき空気は、外側空隙部及び内側空隙部を経て自由に軸受保持部の外部へと抜け、ラジアル軸受部材の底部と軸受保持部の底部との間の空気は、溝状部を通じて外側空隙部及び内側空隙部に抜けることができるので、ラジアル軸受部材と軸受保持部との間の空気が嵌合の妨げとはならない。そのため、軸受保持部が有底筒状をなすにもかかわらず、その軸受保持部に対するラジアル軸受部材の十分な嵌合を、容易且つ確実に実現させることができる。
　また、軸受保持部が有底筒状をなし、ラジアル軸受部材が筒状をなすため、軸受保持部の内周部に嵌合保持されたラジアル軸受部材に回転軸を挿通させる植えでラジアル軸受部材内部の空気の排除が問題となるが、この請求項２のブラシレスモータでは、ラジアル軸受部材内部から排除されるべき空気を溝状部と外側空隙部とを通じて外部へ逃がすことによって、ラジアル軸受部材の内部の空気が挿通の妨げとなることを防ぐことができ、モータ製造上の利点は大きい。
【図面の簡単な説明】
　【図１】
　ファン装置の要部断面図である。
　【図２】
　軸受保持部の拡大平面図である。
　【図３】
　軸受保持部の拡大断面図である。
　【図４】
　合成樹脂製のキャップ部材の破砕斜視図である。
　【図５】
　キャップ部材、軸受保持部及びインペラの要部断面図である。
　【図６】
　図５の要部底面図である。
　【図７】
　キャップ部材及びインペラの要部拡大図である。
　【符合の説明】
　１２　　　軸受保持部
　１４　　　受け部材保持部
　１６　　　内方膨出部
　１８　　　溝部１８
　２６　　　内方膨出部
　２８　　　環状底部
　３０　　　周方向溝
　３２　　　径方向溝
　３４　　　含油スリーブ軸受
　３８　　　内側空隙部